(57)【特許請求の範囲】
【請求項１】
底部を備えたヘッド本体と、該底部とは反対側に向けて突出する凸形に形成された塗布面が設けられた塗布体と、を有する塗布ヘッドと、
前記塗布ヘッドに着脱自在に装着されて前記塗布面を覆うキャップと、
前記キャップに前記塗布面の側に向けて開口して設けられ、内部に流動性を有するゲル状の内容物を収容する収容部と、
軟材質によりスリットを備えるとともに前記塗布面と同一方向に向けて凹む凹形の膜状に形成された弁本体と、前記弁本体の周縁部に連ねて設けられて前記キャップに固定される固定部とを有し、前記収容部の開口に装着されるスリット弁と、を有し、
前記スリット弁は、前記キャップが前記塗布ヘッドから取り外された状態においては、前記スリットが閉じられて前記収容部の開口を閉塞し、前記キャップが前記塗布ヘッドに装着された状態においては、前記弁本体の周縁部が全周に亘って前記塗布面に押し付けられて該塗布面に密着するとともに該押付けにより前記弁本体が変形して前記スリットが開かれることを特徴とする塗布容器。
【請求項２】
前記塗布面が半球形状に形成されるとともに、前記弁本体が前記塗布面よりも曲率の大きい半球形状に形成されている、請求項１に記載の塗布容器。
【請求項３】
前記塗布面が弾性変形自在に形成されている、請求項１または２に記載の塗布容器。
【請求項４】
前記キャップが、外キャップと該外キャップの内側に固定される内キャップとを備え、該内キャップに前記スリット弁が固定されている、請求項１〜３の何れか１項に記載の塗布容器。
【請求項５】
前記キャップが、硬質の樹脂材料で形成されたキャップ本体と、弾性材料により形成されて前記キャップ本体の外面を覆う外皮材とを備え、前記収容部の一部が前記外皮材により区画されている、請求項１〜４の何れか１項に記載の塗布容器。
【発明の詳細な説明】
【技術分野】
【０００１】
本発明は、内容物を収容するとともに当該内容物を塗布対象物に塗布することができる塗布容器に関する。
【背景技術】
【０００２】
塗布容器は、収容部に内容物を収容するとともに、収容部に収容した内容物を塗布体によって塗布対象物に直接塗布することができるようにしたものであり、手を汚すことなく内容物を塗付対象物の広い範囲に満遍なく塗布することができることから種々の内容物を収容する容器として用いられている。
【０００３】
例えば特許文献１には、粉末の化粧料を内容物として収容する容器本体を、２つの区画に分割された収容部と、収容部の内側に配置され当該収容部の底部近傍に向けて延びるダクトとを備えた構成とし、このダクトの内部に内容物を塗布するためのブラシを収容するとともに、当該ブラシに固定されたキャップを容器本体に着脱自在に装着するようにした塗布容器が記載されている。
【０００４】
また、特許文献２には、粉末の化粧料を内容物として収容する容器本体の内部に有底の筒体を設け、この筒体の側壁に通過孔を設けるとともに当該筒体の内側に化粧料を塗布するためのブラシを収容し、筒体の開口を容器本体の口部とともにキャップで閉塞するようにした塗布容器が記載されている。
【先行技術文献】
【特許文献】
【０００５】
【特許文献１】特開昭５８−６５１０９号公報
【特許文献２】特開平１１−２９０１１９号公報
【発明の概要】
【発明が解決しようとする課題】
【０００６】
しかしながら、特許文献１、２に記載されるような従来の塗布容器では、容器本体からの内容物の漏れ出しを防止するために、容器本体は開口を上方に向けた正立姿勢で保管されるようになっており、保管時には内容物がブラシに付着されない構成となっている。そのため、内容物を塗布する際には、容器本体を上下に振ったり上下反転させるように回転させたりして内容物をブラシに付着させる作業を行う必要があり、この点で内容物を塗布対象に塗布する作業が煩雑であるという問題点があった。
【０００７】
本発明は、このような課題に鑑みてなされたものであり、その目的は、キャップを取り外すだけの簡単な操作で塗布対象物に対する内容物の塗布作業をすぐに開始することができる塗布容器を提供することにある。
【課題を解決するための手段】
【０００８】
本発明の塗布容器は、底部を備えたヘッド本体と、該底部とは反対側に向けて突出する凸形に形成された塗布面が設けられた塗布体と、を有する塗布ヘッドと、前記塗布ヘッドに着脱自在に装着されて前記塗布面を覆うキャップと、前記キャップに前記塗布面の側に向けて開口して設けられ、内部に流動性を有するゲル状の内容物を収容する収容部と、軟材質によりスリットを備えるとともに前記塗布面と同一方向に向けて凹む凹形の膜状に形成された弁本体と、前記弁本体の周縁部に連ねて設けられて前記キャップに固定される固定部とを有し、前記収容部の開口に装着されるスリット弁と、を有し、前記スリット弁は、前記キャップが前記塗布ヘッドから取り外された状態においては、前記スリットが閉じられて前記収容部の開口を閉塞し、前記キャップが前記塗布ヘッドに装着された状態においては、前記弁本体の周縁部が全周に亘って前記塗布面に押し付けられて該塗布面に密着するとともに該押付けにより前記弁本体が変形して前記スリットが開かれることを特徴とする。
【０００９】
本発明の塗布容器は、上記構成において、前記塗布面が半球形状に形成されるとともに、前記弁本体が前記塗布面よりも曲率の大きい半球形状に形成されているのが好ましい。
【００１０】
本発明の塗布容器は、上記構成において、前記塗布面が弾性変形自在に形成されているのが好ましい。
【００１１】
本発明の塗布容器は、上記構成において、前記キャップが、外キャップと該外キャップの内側に固定される内キャップとを備え、該内キャップに前記スリット弁が固定されているのが好ましい。
【００１２】
本発明の塗布容器は、上記構成において、前記キャップが、硬質の樹脂材料で形成されたキャップ本体と、弾性材料により形成されて前記キャップ本体の外面を覆う外皮材とを備え、前記収容部の一部が前記外皮材により区画されているのが好ましい。
【発明の効果】
【００１３】
本発明によれば、ヘッド本体の底部を下側として塗布容器を保管しておけば、内容物が塗布面に付着した状態とされるので、キャップを取り外すだけの簡単な操作で塗布対象物に対する内容物の塗布作業をすぐに開始することができる。
【図面の簡単な説明】
【００１４】
【図１】本発明の一実施の形態である塗布容器の半断面図である。
【図２】図１に示す塗布容器の分解図である。
【図３】図２に示す内キャップ組立体の平面図である。
【図４】キャップの収容部に内容物を収容する手順を示す説明図である。
【図５】内容物を収容した状態の塗布容器の半断面図である。
【図６】図５に示す塗布容器のキャップを取り外した状態の半断面図である。
【図７】（ａ）は図１に示す塗布容器の変形例の半断面図であり、（ｂ）は同図（ａ）に示す塗布容器の外皮材を押して内容物を押し出している状態を示す半断面図である。
【発明を実施するための形態】
【００１５】
以下、図面を参照して、本発明をより具体的に例示説明する。
【００１６】
図１に示す本発明の一実施の形態である塗布容器１は塗布ヘッド１０とキャップ２０とを有し、ほぼ卵形となる外形形状に形成されている。
【００１７】
塗布ヘッド１０は内容物を塗布対象物に対して塗布するものであり、図２に示すように、ヘッド本体１１と塗布体１２とを有している。
【００１８】
ヘッド本体１１は、例えば樹脂材料によりカップ状に形成され、その底部１１ａはヘッド本体１１つまり塗布容器１を開口端側が上方に向く起立姿勢で置くことができるように平坦な形状に形成されている。
【００１９】
一方、塗布体１２は円筒部１２ａと塗布部１２ｂとを備えており、円筒部１２ａの下端側部分がヘッド本体１１の開口内側に嵌め込まれることによりヘッド本体１１に固定されている。円筒部１２ａの、ヘッド本体１１から突出する部分の外周面には雄ねじ１２ｃが一体に設けられている。また、円筒部１２ａは凹凸係合部１３によってヘッド本体１１に対して回り止めされている。
【００２０】
塗布部１２ｂは円筒部１２ａの上端に当該円筒部１２ａと一体に設けられている。塗布部１２ｂは、底部１１ａとは反対側（図１、図２中で上方側）に向けて突出する凸形の塗布面１４を備えている。図示する場合では、塗布面１４ないし塗布部１２ｂは半球形状に形成されている。
【００２１】
塗布面１４は内容物が付着する部分であり、使用者はヘッド本体１１を把持して塗布面１４に付着した内容物を、当該塗布面１４を用いて塗布対象物に塗布することができる。
【００２２】
塗布面１４は弾性変形自在に形成されるのが好ましい。塗布面１４は、例えば塗布体１２をゴムやエラストマー等の弾性体で形成し、あるいは樹脂材料で形成された塗布部１２ｂの厚みを薄くすることで弾性変形自在な構成とすることができる。塗布面１４を弾性変形自在に形成することにより、内容物の塗布時における塗布感や凹凸形状への適応性を高めることができる。
【００２３】
キャップ２０は外キャップ２１と内キャップ２２とを備えている。外キャップ２１と内キャップ２２は、それぞれ樹脂製とすることができる。
【００２４】
外キャップ２１はキャップ２０の外郭を形成するものであり、下向きに開口するキャップ状となっている。外キャップ２１の開口近傍の内周面には雌ねじ２１ａが形成されており、この雌ねじ２１ａを塗布体１２の雄ねじ１２ｃにねじ結合させることにより、外キャップ２１つまりキャップ２０は塗布ヘッド１０に着脱自在に装着される。キャップ２０が塗布ヘッド１０に装着されると、当該キャップ２０により塗布ヘッド１０に設けられた塗布面１４が覆われ、塗布容器１は閉じた状態とされる。
【００２５】
外キャップ２１の内部には収容部２３が一体に設けられている。収容部２３は、外キャップ２１の内面と当該内面から突出する円筒部とによって区画形成されており、キャップ２０が塗布ヘッド１０に装着された状態において塗布面１４の側に向けて開口している。収容部２３は、例えば痒み止めなどのクリーム状の薬剤やファンデーションやリップクリーム等の化粧料など、流動性を有するゲル状の内容物（比較的粘度の高い流動性の内容物）を収容することができる。
【００２６】
収容部２３の開口にはスリット弁３０が装着され、このスリット弁３０により収容部２３の開口が閉塞されている。本実施の形態では、スリット弁３０は内キャップ２２に固定され、この内キャップ２２とともに外キャップ２１に固定されて収容部２３の開口を閉塞する。
【００２７】
スリット弁３０は、例えばゴムやエラストマー等の軟材質により形成される。このスリット弁３０は弁本体３０ａと固定部３０ｂとを有する。
【００２８】
弁本体３０ａは、塗布面１４と同一方向に向けて凹む凹形であって、所定の厚みの膜状に形成されている。図示する場合では、弁本体３０ａは半球形状に形成され、その曲率は塗布面１４よりも大きくされている。また、弁本体３０ａの中心にはスリット３１が設けられている。図３に示すように、このスリット３１は弁本体３０ａと中心が一致する十字形に形成されている。なお、スリット３１は開閉可能な形状であればどのような形状でもよく、例えば、一字形状や放射形状などを採用することができる。
【００２９】
固定部３０ｂは円筒状に形成され、その一端側において弁本体３０ａの周縁部３０ｃに一体に連なっている。また、固定部３０ｂの他端側は径方向外側に向けて突出する挟持部３０ｄとなっている。
【００３０】
一方、内キャップ２２は内筒部２２ａと外筒部２２ｂとが湾曲壁２２ｃで一体に連ねられた構成となっており、内筒部２２ａの上端部分が収容部２３の外側に嵌合するとともに外筒部２２ｂが外キャップ２１の内周面に嵌合して外キャップ２１の内側に固定されている。なお、内筒部２２ａと収容部２３との嵌合部分および外筒部２２ｂと外キャップ２１の内周面との嵌合部分に、それぞれアンダーカット部を設けることもできる。また、内筒部２２ａと収容部２３との嵌合部分および嵌外筒部２２ｂと外キャップ２１の内周面との嵌合部分を、それぞれ互いにねじ結合される構成とすることもできる。
【００３１】
内キャップ２２の湾曲壁２２ｃは、塗布面１４に対応した形状に形成され、図１に示すように、キャップ２０が塗布ヘッド１０に装着されると塗布面１４に所定の間隔を空けて対向する。なお、湾曲壁２２ｃは、周縁部３０ｃが塗布面１４に押し付けられることによるスリット３１の開放動作（詳細は後述する）を妨げることがなければ、キャップ２０が塗布ヘッド１０に装着されたときに塗布面１４に当接する構成とすることもできる。  
【００３２】
スリット弁３０は、その挟持部３０ｄが内筒部２２ａの内周面に設けられた段差部２２ｄと内筒部２２ａの内側に嵌合固定される弁押さえ部材３２との間に挟み込まれることにより内キャップ２２に固定されている。
【００３３】
このように、収容部２３の開口に装着されるスリット弁３０は、内キャップ２２を介して外キャップ２１つまりキャップ２０に固定される構成とされている。したがって、図４に示すように、キャップ２０を倒立姿勢つまり収容部２３の開口を上方に向けた姿勢とし、この状態で収容部２３に内容物Ｍを充填した後、スリット弁３０が固定された内キャップ２２を外キャップ２１の内側に固定することで、収容部２３に内容物を容易に充填することができる。
【００３４】
図５に、収容部２３に内容物Ｍを収容した状態の塗布容器１の半断面図を示す。
【００３５】
図５に示すように、収容部２３に内容物Ｍを収容したキャップ２０が塗布ヘッド１０に装着された状態の塗布容器１が、その底部１１ａを下側として置かれた状態では、スリット弁３０は、その曲率が塗布面１４よりも大きくされていることから、弁本体３０ａの周縁部３０ｃが塗布面１４に軸方向（キャップ２０を塗布ヘッド１０に装着する方向）に向けて押し付けられ、これにより周縁部３０ｃが塗布面１４に全周に亘って密着する。また、周縁部３０ｃは塗布面１４に押し付けられることにより上方に押し上げられ、これにより弁本体３０ａが弾性変形してスリット３１が僅かに開かれる。
【００３６】
スリット３１が僅かに開かれると、収容部２３に収容されている内容物Ｍがスリット３１を通して弁本体３０ａと塗布面１４との間に浸み出して塗布面１４に付着する。このとき、弁本体３０ａの周縁部３０ｃが塗布面１４に全周に亘って密着しているので、スリット３１から浸み出した内容物は、塗布面１４の周縁部３０ｃの内側の部分にのみ付着し、外部に漏れ出すことがない。つまり、塗布ヘッド１０の底部１１ａを下側として塗布容器１を保管しておくだけで、キャップ２０に収容されている内容物Ｍが塗布ヘッド１０の塗布面１４に移行される。
【００３７】
そして、この状態でキャップ２０を塗布ヘッド１０から取り外すと、図６に示すように、塗布ヘッド１０は、塗布面１４に内容物Ｍが付着した状態とされる。したがって、使用者は、塗布ヘッド１０のヘッド本体１１を把持して、塗布面１４に付着した内容物を塗布対象物に塗布することができる。
【００３８】
このように、本発明によれば、塗布ヘッド１０の底部１１ａを下側として塗布容器１を保管しておけば、使用時には、キャップ２０を取り外すだけの簡単な操作で、塗布対象物に対する内容物の塗布作業をすぐに開始することができる。
【００３９】
また、上述のように、塗布面１４を弾性変形自在に形成しておけば、塗布作業時における塗布感を向上させ、また、凹凸形状への塗布面１４の適応性を高めることができる。
【００４０】
一方、キャップ２０が塗布ヘッド１０から取り外された状態つまり自然状態においては、スリット弁３０は、スリット３１が閉じられて収容部２３の開口を閉塞する。したがって、内容物Ｍを塗布するために収容部２３に内容物Ｍが充填された状態でキャップ２０を塗布ヘッド１０から取り外しても、収容部２３の開口はスリット弁３０により閉塞されているので、例え開口を下側に向けてキャップ２０を放置したとしても、塗布作業を行っている間にキャップ２０から内容物が外部に漏れ出すことが防止される。
【００４１】
図７（ａ）は図１に示す塗布容器の変形例の半断面図であり、図７（ｂ）は図７（ａ）に示す塗布容器の外皮材を押して内容物を押し出している状態を示す半断面図である。なお、図７においては、前述した部材に対応する部材には同一の符号を付し、再度の説明は省略する。
【００４２】
図７に示すように、キャップ２０は、キャップ本体４０と外皮材４１とを備えた構成とすることもできる。
【００４３】
図示する場合では、キャップ本体４０を、それぞれ硬質の樹脂材料により形成される外キャップ２１と内キャップ２２とを組み合わせて形成するようにしている。この場合、外キャップ２１は、図１における外キャップ２１と相違して、収容部２３の一端側を区画する天壁部分が欠落した形状に形成されている。
【００４４】
なお、キャップ本体４０は、外キャップ２１と内キャップ２２とを組み合わせることなく、硬質の樹脂材料の一体品として形成することもできる。
【００４５】
一方、外皮材４１は、例えばエラストマー等の弾性材料により形成されてキャップ本体４０の外面全体を覆っている。また、外皮材４１は、キャップ２０の天壁部分を構成する天壁部４１ａを備えており、収容部２３の一端側はこの天壁部４１ａによって区画されている。天壁部４１ａは上方に向けて突出する湾曲形状を有し、キャップ２０を図１に示すキャップ１０と同様の外形形状に形成している。
【００４６】
天壁部４１ａは収容部２３の内部に向けて弾性変形自在となっており、図７（ｂ）に示すように、天壁部４１ａを収容部２３の内部に向けて押し込むことにより、収容部２３の内部容積を低減させることができる。したがって、塗布容器１を底部１１ａが下側となる正立姿勢としたまま天壁部４１ａを収容部２３の内部に向けて押し込むことにより、収容部２３に収容された内容物をスリット弁３０から塗布面１４に押し出して、より多くの内容物Ｍを塗布面１４に付着させることができる。また、塗布容器１の姿勢に拘わらず、つまり塗布容器１を正立姿勢としなくても、天壁部４１ａを収容部２３の内部に向けて押し込むことにより、スリット弁３０を通して内容物Ｍを塗布面１４に押し出して内容物Ｍを塗布面１４に付着させることができる。
【００４７】
本発明は前記実施の形態に限定されるものではなく、その要旨を逸脱しない範囲で種々変更可能であることはいうまでもない。
【００４８】
例えば、前記実施の形態においては、塗布面１４およびスリット弁３０の弁本体３０ａを、それぞれ半球面形状に形成するようにしているが、これらを例えば円筒面等の他の凸形ないし凹形に形成することもできる。
【００４９】
また、前記実施の形態においては、塗布容器１を卵型の外形形状に形成するようにしているが、例えば円柱形状に形成するなど、当該形状は種々変更可能である。
【符号の説明】
【００５０】
１    塗布容器
１０    塗布ヘッド
１１    ヘッド本体
１１ａ  底部
１２    塗布体
１２ａ  円筒部
１２ｂ  塗布部
１２ｃ  雄ねじ
１３    凹凸係合部
１４    塗布面
２０    キャップ
２１    外キャップ
２１ａ  雌ねじ
２２    内キャップ
２２ａ  内筒部
２２ｂ  外筒部
２２ｃ  湾曲壁
２２ｄ  段差部
２３    収容部
３０    スリット弁
３０ａ  弁本体
３０ｂ  固定部
３０ｃ  周縁部
３０ｄ  挟持部
３１    スリット
３２    弁押さえ部材
４０    キャップ本体
４１    外皮材
４１ａ  天壁部
４２    外皮材
Ｍ    内容物
【図１】
0006366500.tif 000002
【図２】
0006366500.tif 000003
【図３】
0006366500.tif 000004
【図４】
0006366500.tif 000005
【図５】
0006366500.tif 000006
【図６】
0006366500.tif 000007
【図７】
0006366500.tif 000008